(57)【要約】【課題】演奏情報の再生開始時に押鍵予告の時間を確保した第１再生開始モードと、押鍵予告の時間を取り除いた第２再生開始モードとを備える鍵盤楽器を提供すること。【解決手段】鍵盤楽器は、複数の鍵を有する鍵盤と、鍵盤の各鍵に対応して設けられると共に、各鍵の長手方向に配列された複数のガイドランプと、第１再生開始モード又は第２再生開始モードで演奏情報の再生を開始する再生装置とを備える。第１再生開始モードでは、演奏情報の再生を開始する音に対応する鍵の複数のガイドランプのうち最後のガイドランプを再生を開始する音に先行して点灯する第１時点で演奏情報の再生を開始し、鍵を押鍵すべきタイミングにて点灯する最前のガイドランプが点灯する第２時点で鍵に対応する音が出力される。第２再生開始モードでは、第２時点で演奏情報の再生を開始し、再生を開始する音が出力される。【選択図】図１０
2018077380.tif 000002
【特許請求の範囲】
【請求項１】
複数の鍵を有する鍵盤と、
前記鍵盤の各鍵に対応して設けられると共に、該各鍵の長手方向に配列された複数のガイドランプと、
第１再生開始モード又は第２再生開始モードで演奏情報の再生を開始する再生装置とを備え、
前記第１再生開始モードでは、前記演奏情報の再生を開始する音に対応する鍵の前記複数のガイドランプのうち最後のガイドランプを前記再生を開始する音に先行して点灯する第１時点で前記演奏情報の再生を開始し、該鍵を押鍵すべきタイミングにて点灯する最前のガイドランプが点灯する第２時点で該鍵に対応する音が出力され、
前記第２再生開始モードでは、前記第２時点で前記演奏情報の再生を開始し、再生を開始する音が出力されることを特徴とする鍵盤楽器。
【請求項２】
前記再生装置は、所定条件が成立している場合には前記第２再生開始モードで前記演奏情報の再生を開始し、前記所定条件が成立していない場合には前記第１再生開始モードで前記演奏情報の再生を開始することを特徴とする請求項１に記載の鍵盤楽器。
【請求項３】
前記所定条件とは、前記複数のガイドランプを点灯しない設定がされていることである請求項２に記載の鍵盤楽器。
【請求項４】
前記所定条件とは、複数の演奏情報が連続再生されるような設定がされていることである請求項２に記載の鍵盤楽器。
【請求項５】
前記所定条件とは、前記演奏情報において最初に発音される音の位置をサーチする設定がされていることである請求項２に記載の鍵盤楽器。
【発明の詳細な説明】
【技術分野】
【０００１】
本発明は、複数のガイドランプで押鍵の指示を行う鍵盤楽器に関するものである。
【背景技術】
【０００２】
従来より、複数のガイドランプで押鍵の指示を行う鍵盤楽器に関する技術が種々提案されている。例えば、下記特許文献１に記載の演奏支援装置では、まず、手本となる楽音を発音することによって曲のイメージを示した後に（手本演奏）、演奏者がキーボードを用いて演奏する際の押鍵位置を、鍵に対応した予告表示ＬＥＤおよび押鍵指示ＬＥＤによって指示する（演奏ガイド）。演奏ガイドについては、押鍵タイミングに先だって予告表示ＬＥＤの点灯を行うことによって、予め押鍵位置を予告する（予告表示）。これにより演奏者は、次に押下する鍵を視覚によって判別することができる。押鍵タイミングにおいては、押鍵指示ＬＥＤを点灯して押鍵位置および押鍵タイミングを指示する（押鍵指示）。これにより演奏者は、実際に押下する鍵そのものを視覚によって判別することができる。
【０００３】
さらに、手本演奏および演奏ガイドでは、演奏の最初に操作すべき鍵を予告するために予め設定された予告時間を、演奏の冒頭に挿入することによって、予告表示を行う時間を確保している。
【先行技術文献】
【特許文献】
【０００４】
【特許文献１】特開２０００−２１４８４８号公報
【発明の概要】
【発明が解決しようとする課題】
【０００５】
しかしながら、上記特許文献１に記載の演奏支援装置において、例えば、演奏者が予告表示なしで手本演奏を行うように設定した場合には、予告表示つまり予告時間が不要であるにも拘わらず、演奏の最初に操作すべき鍵に対応する楽音が、演奏の冒頭から予告時間の経過後に発音されていた。そのため、予告表示ＬＥＤの点灯も楽音の発音も行われない空白な時間が、演奏の冒頭に生じていた。
【０００６】
そこで、本発明は、上述した点を鑑みてなされたものであり、演奏情報の再生開始時に押鍵予告の時間を確保した第１再生開始モードと、演奏情報の再生開始時に押鍵予告の時間を取り除いた第２再生開始モードとを備える鍵盤楽器を提供することを課題とする。
【課題を解決するための手段】
【０００７】
この課題を解決するためになされた請求項１に係る発明は、鍵盤楽器であって、複数の鍵を有する鍵盤と、鍵盤の各鍵に対応して設けられると共に、各鍵の長手方向に配列された複数のガイドランプと、第１再生開始モード又は第２再生開始モードで演奏情報の再生を開始する再生装置とを備え、第１再生開始モードでは、演奏情報の再生を開始する音に対応する鍵の複数のガイドランプのうち最後のガイドランプを再生を開始する音に先行して点灯する第１時点で演奏情報の再生を開始し、鍵を押鍵すべきタイミングにて点灯する最前のガイドランプが点灯する第２時点で鍵に対応する音が出力され、第２再生開始モードでは、第２時点で演奏情報の再生を開始し、再生を開始する音が出力されることを特徴とする。
【０００８】
請求項２に係る発明は、請求項１に記載の鍵盤楽器であって、再生装置は、所定条件が成立している場合には第２再生開始モードで演奏情報の再生を開始し、所定条件が成立していない場合には第１再生開始モードで演奏情報の再生を開始することを特徴とする。
【０００９】
請求項３に係る発明は、請求項２に記載の鍵盤楽器であって、所定条件とは、複数のガイドランプを点灯しない設定がされていることである。
【００１０】
請求項４に係る発明は、請求項２に記載の鍵盤楽器であって、所定条件とは、複数の演奏情報が連続再生されるような設定がされていることである。
【００１１】
請求項５に係る発明は、請求項２に記載の鍵盤楽器であって、所定条件とは、演奏情報において最初に発音される音の位置をサーチする設定がされていることである。
【発明の効果】
【００１２】
本発明によれば、演奏情報の再生開始時に押鍵予告の時間を確保した第１再生開始モードと、演奏情報の再生開始時に押鍵予告の時間を取り除いた第２再生開始モードとを備える鍵盤楽器を提供することが可能である。
【図面の簡単な説明】
【００１３】
【図１】実施形態に係る電子鍵盤楽器の平面図である。
【図２】ガイド表示および鍵盤の拡大図である。
【図３】電子鍵盤楽器の電気的構成を示すブロック図である。
【図４】ボタン群を示す正面図である。
【図５】ガイド表示の明滅の一例を説明するタイミング図である。
【図６】ガイド表示の点灯の遷移の一例を説明する図である。
【図７】電子鍵盤楽器の機能ブロック図である。
【図８】第１再生開始モードを説明するタイミング図である。
【図９】第２再生開始モードを説明するタイミング図である。
【図１０】電子鍵盤楽器の再生動作を示すフローチャート図である。
【発明を実施するための形態】
【００１４】
＜鍵盤楽器の構成＞
レッスン機能（後述）を有する電子鍵盤楽器１の構成について図１を用いて説明する。電子鍵盤楽器１は筐体１ａ、鍵盤１０、ユーザインターフェース１２、スピーカ１５１，１５１などを備えている。鍵盤１０、ユーザインターフェース１２およびスピーカ１５１，１５１は筐体１ａの正面に配置されている。鍵盤１０は音高に対応した白鍵１０ａおよび黒鍵１０ｂを複数備えている。以下の説明において、鍵盤１０の鍵の並ぶ方向を左右方向、左右方向と平面視において直交する方向を前後方向と称する。従って、鍵盤１０の鍵の長手方向は、前後方向に平行である。ユーザインターフェース１２およびスピーカ１５１，１５１は鍵盤１０の後側に配置されている。スピーカ１５１，１５１は鍵盤１０が受付けた操作に応じた音、及び楽曲データ（後述）に基づく自動演奏音などを放音する。ユーザインターフェース１２は液晶ディスプレイ１２１、鍵盤１０の鍵と同数のガイド表示４０、およびボタン群１２２などを備えている。液晶ディスプレイ１２１は左右方向における略中央に配置されており、設定画面などを表示する。ガイド表示４０は鍵盤１０の各鍵に対応して、各鍵の近傍に配置されている。ボタン群１２２は液晶ディスプレイ１２１の左右方向及び前方向に配置されており、電源ボタン（不図示）などの複数の操作ボタンが設けられている。尚、図１および図２では、複数の白鍵１０ａ、黒鍵１０ｂ、およびガイド表示４０のうち１つにのみ符号を付し、その他の符号は省略している。
【００１５】
ガイド表示４０については図２を用いて詳しく説明する。ガイド表示４０は、各々の鍵の１つに対応し、第１予告灯４１、第２予告灯４２、第３予告灯４３、および押鍵指示灯４４の４つの表示灯を有する。筐体１ａの一部は、第１予告灯４１、第２予告灯４２、第３予告灯４３、および押鍵指示灯４４の各々に対応する矩形の透過性シートが形成されており、透過性シートの筐体１ａの内部側に不図示のＬＥＤ（Light Emitting Diode）がそれぞれの表示灯として４つ配置されている。透過性シートとは透過性を有するシートである。ＬＥＤの発光色は例えば赤色である。ＬＥＤが点灯した場合、ユーザは透過性シートを通過したＬＥＤが発する光を視認することができる。ここでは、透過性シートとＬＥＤとを含めた各々の構成を第１予告灯４１〜第３予告灯４３および押鍵指示灯４４と称する。なお、第１予告灯４１は、その第１予告灯４１が設けられたガイド表示４０に対応する鍵との距離が最長である。押鍵指示灯４４は、その押鍵指示灯４４が設けられたガイド表示４０に対応する鍵との距離が最短である。
【００１６】
第１予告灯４１〜第３予告灯４３は、ユーザが押鍵すべき押鍵タイミングに先行して点灯することにより、押鍵タイミングを予告（以下、「押鍵予告」という。）する。押鍵指示灯４４は押鍵タイミングに点灯することにより、押鍵タイミングを指示（以下、「押鍵指示」という。）する。第１予告灯４１〜第３予告灯４３および押鍵指示灯４４を構成する透過性シートの各々は、平面視で互いに同じ矩形の形状を有している。
【００１７】
次に、電子鍵盤楽器１の電気的構成について図３を用いて説明する。電子鍵盤楽器１は、図１に示した構成の他に、検出回路１１、音源回路１３、効果回路１４、スピーカ１５１，１５１を有するサウンドシステム１５、ＣＰＵ１６、タイマ３１、ＲＡＭ１８、ＲＯＭ１９、データ記憶部２０、ネットワークインターフェース２１などを備えている。ＣＰＵ１６はＲＯＭ１９が記憶している各種のプログラムを実行することによって、各部を制御する。ここで、各部とは、バス２２を介してＣＰＵ１６と接続される検出回路１１、ユーザインターフェース１２、音源回路１３、およびネットワークインターフェース２１などである。ＲＡＭ１８は、ＣＰＵ１６が各種の処理を実行するための主記憶装置として用いられる。データ記憶部２０は、ＭＩＤＩ（Musical Instrument Digital Interface；登録商標）形式の楽曲データなどを記憶する。データ記憶部２０は、例えばフラッシュメモリなどで実現される。タイマ３１はＣＰＵ１６の命令に従って、設定時間までの時間および楽曲データのイベント（後述）間の時間などをカウントし、残り時間が０となると、ＣＰＵ１６に押鍵信号等の演奏信号を出力する。
【００１８】
検出回路１１は鍵盤１０の動きを検出して演奏信号（押鍵信号、離鍵信号、早さ信号など）を生成し、ＣＰＵ１６経由で音源回路１３へ入力される。
【００１９】
音源回路１３は、押鍵信号等の演奏信号に従い、デジタルオーディオ信号を生成し出力する。効果回路１４は、音源回路１３から出力されるオーディオ信号に例えばリバーブなどの効果を付加したデジタルオーディオ信号を出力する。サウンドシステム１５は、不図示のデジタルアナログ変換器およびアンプなどを有する。デジタルアナログ変換器は、効果回路１４から出力されるデジタルオーディオ信号をアナログオーディオ信号に変換し、アンプへ出力する。アンプは、アナログオーディオ信号を増幅し、スピーカ１５１，１５１へ出力する。スピーカ１５１，１５１は入力されるアナログオーディオ信号に応じて発音する。このように、電子鍵盤楽器１は鍵盤１０の操作に応じて、演奏音を発音する。また、音源回路１３、効果回路１４、およびスピーカ１５１，１５１は、データ記憶部２０に記憶されている楽曲データに基づいて、自動演奏音を発音する。以下、自動演奏音を発音することを、再生すると記載する場合がある。
【００２０】
ユーザインターフェース１２は、ＣＰＵ１６の命令に従って、例えば各種の設定画面などを液晶ディスプレイ１２１に表示する。また、ユーザインターフェース１２はボタン群１２２の操作ボタンで受付けた操作を信号としてＣＰＵ１６へ送信する。また、ユーザインターフェース１２は、ＣＰＵ１６の命令に従って、第１予告灯４１〜第３予告灯４３および押鍵指示灯４４を構成するＬＥＤの各々を明滅する。ネットワークインターフェース２１は、ＬＡＮ通信を行う。ＣＰＵ１６は、ネットワークインターフェース２１および不図示のルータを介してインターネットと接続し、インターネットに接続されている楽曲データを提供するコンテンツサーバから楽曲データをダウンロードすることができる。
【００２１】
次に、ボタン群１２２に設けられた複数の操作ボタンについて説明する。図４に示すように、ボタン群１２２には、ソング選択ボタン１２２Ａ、「スタート／一時停止」ボタン１２２Ｂ、早戻しボタン１２２Ｃ、早送りボタン１２２Ｄ、ガイドボタン１２２Ｅなどの操作ボタンが設けられている。
【００２２】
ソング選択ボタン１２２Ａは、データ記憶部２０に記憶されている複数の楽曲データから所望の楽曲データをユーザが選択する際などに使用される。「スタート／一時停止」ボタン１２２Ｂは、楽曲データの再生をユーザが電子鍵盤楽器１に開始させる際に使用される。また、「スタート／一時停止」ボタン１２２Ｂは、レッスン機能（後述）をユーザが電子鍵盤楽器１に開始させる際などにも使用される。早戻しボタン１２２Ｃは、楽曲データの再生開始位置をユーザが早戻しによりサーチする際などに使用される。早送りボタン１２２Ｄは、楽曲データの再生開始位置をユーザが早送りによりサーチする際などに使用される。ガイドボタン１２２Ｅは、レッスン機能（後述）を電子鍵盤楽器１に行わせるようにユーザが設定する際などに使用される。
【００２３】
＜レッスン機能の概要＞
次に、電子鍵盤楽器１のレッスン機能について図５，６に示す一例を用いて説明する。図５，６において、時間は、対応する鍵の押鍵タイミングを０としている。また、図５において、第１予告灯４１〜第３予告灯４３および押鍵指示灯４４の点灯している期間を黒色部で表記している。また、図６において、点灯している第１予告灯４１〜第３予告灯４３および押鍵指示灯４４を黒色部で表記している。図５に示すように、電子鍵盤楽器１はレッスン機能を開始し、楽曲データを再生すると、押鍵タイミングの３拍前に第１予告灯４１を点灯する。次に、押鍵タイミングの２拍前になると、電子鍵盤楽器１は第１予告灯４１を消灯し、第２予告灯４２を点灯する。次に、押鍵タイミングの１拍前になると、電子鍵盤楽器１は第２予告灯４２を消灯し、第３予告灯４３を点灯する。次に、押鍵タイミングになると、電子鍵盤楽器１は第３予告灯４３を消灯し、押鍵指示灯４４を点灯する。次に、押鍵タイミングの１拍後になると、電子鍵盤楽器１は押鍵指示灯４４を消灯する。図６に示すように、３拍前、２拍前、１拍前と時間が経過するのに応じて、第１予告灯４１、第２予告灯４２、第３予告灯４３は順に明滅する。また、押鍵タイミングとなると、押鍵指示灯４４が点灯する。電子鍵盤楽器１は鍵盤１０の各々の鍵に対応するガイド表示４０のすべてに対して、上記のように明滅を行う。ユーザは、順に点灯される第１予告灯４１〜第３予告灯４３および押鍵指示灯４４を見ることにより、楽曲の進行に合わせて、押鍵すべき鍵を押鍵タイミングより事前に検知し、追っていくことができる。また、ユーザは、押鍵指示灯４４の点灯により、押鍵タイミングを認識することができる。
【００２４】
＜楽曲データ＞
次に、楽曲データについて説明する。楽曲データには楽曲情報および複数のトラックが含まれている。楽曲情報には、楽曲データの楽曲名などの情報が含まれている。トラックには時間情報とイベントとが１組として構成されているデータが楽曲の進行順に並んでいる。イベントとは、処理の内容を指示するデータである。時間情報とは、イベントを処理する時間を指示するデータである。複数のトラックのうち、１つのトラックには、レッスン用のデータが収められており、その他のトラックには、練習用のデータが収められている。イベントには、ＭＩＤＩイベントである「ノートオン」および「ノートオフ」と、メタイベントである「ガイド表示オン」および「ガイド表示オフ」などがある。尚、「ガイド表示オン」および「ガイド表示オフ」は、レッスン用のトラックに含まれている。
【００２５】
「ノートオン」は発音を指示するデータであり、「ノートオフ」は消音を指示するデータである。「ノートオン」および「ノートオフ」には、「ノートナンバー」、「ベロシティ」などが付随している。「ノートナンバー」とは、音高を指定するデータであり、「ベロシティ」とは、音の強弱を表すデータである。「ガイド表示オン」および「ガイド表示オフ」は、ガイド表示４０の点灯・消灯のためのデータである。「ガイド表示オン」および「ガイド表示オフ」には、「ノートナンバー」などが付随している。「ガイド表示オン」に対応する時間情報は、図５，６の一例では、対応する押鍵タイミングの３拍前に設定されている。尚、トラックの最後には、終了コードが含まれている。
【００２６】
＜機能ブロック＞
次に、電子鍵盤楽器１が有するレッスン機能に関わる機能ブロックについて、図７を用いて説明する。電子鍵盤楽器１は、上記した構成の他に、読出し部５１およびＬＥＤ制御部５２を有している。読出し部５１およびＬＥＤ制御部５２は、例えばＣＰＵ１６がＲＯＭ１９に記憶されているプログラムを実行することなどにより実現される。
【００２７】
レッスン機能を使用したいユーザが、ユーザインターフェース１２のボタン群１２２のソング選択ボタン１２２Ａなどを操作して、所望の楽曲データを選択すると、ＣＰＵ１６は選択された楽曲データをデータ記憶部２０から読み出して、ＲＡＭ１８に記憶させる。レッスン機能を開始したいユーザは、ボタン群１２２のガイドボタン１２２Ｅを押下した後に、ボタン群１２２の「スタート／一時停止」ボタン１２２Ｂを押下する。
【００２８】
読出し部５１は、ユーザインターフェース１２からの信号により、「スタート／一時停止」ボタン１２２Ｂが押下されたと判断すると、読出し処理を開始する。読出し処理を開始すると、読出し部５１は、ＲＡＭ１８に記憶されている楽曲データのトラックに含まれる時間情報およびイベントを先頭から順に読み出し、タイマ３１を用いて時間情報に従ったタイミングで、イベントに応じた命令をＬＥＤ制御部５２および音源回路１３に出力する。イベントが、「ノートオン」、「ノートオフ」であれば、音源回路１３に「ノートオン」、「ノートオフ」の命令を出力する。音源回路１３および効果回路１４は、入力される「ノートオン」、「ノートオフ」の命令と付随する「ノートナンバー」、「ベロシティ」などに従って、信号処理を行う。これにより、サウンドシステム１５から、演奏音が発音される。なお、レッスン機能では、押鍵タイミングの鍵に対応する音が演奏音から外され、つまり、伴奏音が発音されるのが通常である。しかしながら、本実施形態では、レッスン機能が開始されると、伴奏音に加えて、押鍵タイミングの鍵に対応する音も発音される。
【００２９】
イベントが「ガイド表示オン」、「ガイド表示オフ」であれば、読出し部５１は「ガイド表示オン」、「ガイド表示オフ」の命令をＬＥＤ制御部５２へ出力する。ＬＥＤ制御部５２は、「ガイド表示オン」の命令が入力されると、切替処理を開始する。ＬＥＤ制御部５２は、切替処理を開始すると、まず、付随する「ノートナンバー」に対応するガイド表示４０の第１予告灯４１の点灯をユーザインターフェース１２に指示する。次に、図５，６の一例で説明すると、タイマ３１を用いて、第１予告灯４１の点灯を指示してからの経過時間が１拍に相当する時間となったと判断すると、対応するガイド表示４０の第１予告灯４１の消灯および第２予告灯４２の点灯をユーザインターフェース１２に指示する。同様に、第２予告灯４２の点灯を指示してからの経過時間が１拍に相当する時間となったと判断すると、対応するガイド表示４０の第２予告灯４２の消灯および第３予告灯４３の点灯をユーザインターフェース１２に指示する。同様に、第３予告灯４３の点灯を指示してからの経過時間が１拍に相当する時間となったと判断すると、対応するガイド表示４０の第３予告灯４３の消灯および押鍵指示灯４４の点灯をユーザインターフェース１２に指示する。次に、「ガイド表示オフ」の命令が入力されると、ＬＥＤ制御部５２は、押鍵指示灯４４の消灯をユーザインターフェース１２に指示し、切替処理を終了する。切替処理により、第１予告灯４１〜第３予告灯４３および押鍵指示灯４４の点灯・消灯が１拍毎に切替えられる。
【００３０】
尚、読出し部５１は、「スタート／一時停止」ボタン１２２Ｂが押下されたと判断した場合は、読出し処理を一時停止し、楽曲データの終了コードを読み出した場合は、読出し処理を終了する。
【００３１】
＜再生開始モード＞
電子鍵盤楽器１には、楽曲データの再生を開始する形式として、第１再生開始モードと第２再生開始モードとがある。以下、第１再生開始モードと第２再生開始モードとについて、図８，９を用いて説明する。但し、以下の説明では、再生対象の楽曲データにおいて、その再生で最初に押鍵すべき鍵に対して、図５に示す押鍵予告と押鍵指示とが行われるように設定されている場合を想定して説明する。なお、楽曲データの再生には、楽曲データがその冒頭から再生される場合と、楽曲データがその途中から再生される場合とがある。また、楽曲データの再生中には、ユーザが押鍵操作した鍵に対応する音が、検出回路１１からの演奏信号に基づいて発音されるように設定されても良いし、発音されるように設定されても良い。
【００３２】
＜第１再生開始モード＞
先ず、電子鍵盤楽器１の第１再生開始モードについて、図８を用いて説明する。図８では、楽曲データの再生において、最初の押鍵タイミングである０から３拍前を第１時間Ｔ１とし、最初の押鍵タイミングである０を第２時間Ｔ２としている。つまり、最初の押鍵タイミングの鍵に対応するガイド表示４０のうち、第１予告灯４１の点灯タイミング（最初の点灯タイミング）を第１時間Ｔ１とし、押鍵指示灯４４の点灯タイミング（最後の点灯タイミング）を第２時間Ｔ２としている。
【００３３】
なお、上述した点は、第２再生開始モードの説明（後述）で用いる図９においても、同様である。
【００３４】
第１再生開始モードでは、図８に示すように、第１時間Ｔ１において、楽曲データの再生が開始される。その３拍後の第２時間Ｔ２において、最初の「ノートオン」を格納したＭＩＤＩイベントが処理される。つまり、第２時間Ｔ２では、楽曲データの再生において、最初の押鍵タイミングの鍵に対応する音が発音される。従って、第１再生開始モードで楽曲データの再生が開始される場合には、その再生における最初の押鍵タイミングの鍵に対応するガイド表示４０に関し、第１予告灯４１〜第３予告灯４３による押鍵予告の時間、および押鍵指示灯４４による押鍵指示の時間が確保されている。
【００３５】
なお、図８では、第１再生開始モードで楽曲データの再生が開始される際に、押鍵予告と押鍵指示とが行われる場合において、その再生における最初の押鍵タイミングの鍵に対応するガイド表示４０の第１予告灯４１〜第３予告灯４３および押鍵指示灯４４について、点灯している期間を黒色部で表記している。
【００３６】
＜第２再生開始モード＞
次に、電子鍵盤楽器１の第２再生開始モードについて、図９を用いて説明する。第２再生開始モードでは、図９に示すように、第１時間Ｔ１において、楽曲データの再生は開始されず、第２時間Ｔ２において、楽曲データの再生が開始されると同時に、最初の「ノートオン」を格納したＭＩＤＩイベントが処理される。つまり、第２時間Ｔ２では、楽曲データの再生が開始されると同時に、最初の押鍵タイミングの鍵に対応する音が発音される。従って、第２再生開始モードで楽曲データの再生が開始される場合には、その再生における最初の押鍵タイミングの鍵に対応するガイド表示４０に関し、第１予告灯４１〜第３予告灯４３による押鍵予告の時間は確保されていない。もっとも、押鍵指示灯４４による押鍵指示の時間は確保されている。
【００３７】
なお、図９では、第２再生開始モードで楽曲データの再生が開始される際に、押鍵予告と押鍵指示とが行われると想定した場合において、その再生における最初の押鍵タイミングの鍵に対応するガイド表示４０の第１予告灯４１〜第３予告灯４３および押鍵指示灯４４について、点灯すべき設定期間を白抜き部で表記している。
【００３８】
＜楽曲データの再生動作＞
次に、電子鍵盤楽器１における楽曲データの再生動作について、図１０を用いて説明する。図１０のフローチャートで示すプログラムは、例えばＲＯＭ１９に記憶されており、ＣＰＵ１６が実行することなどにより実現される。
【００３９】
図１０に示すように、電子鍵盤楽器１における楽曲データの再生動作では、まず、ＣＰＵ１６は、再生準備処理を行う（ステップＳ１１）。再生準備処理（ステップＳ１１）では、ユーザは、ユーザインターフェース１２を操作することにより、再生対象の楽曲データを選択する。具体的には、ユーザがソング選択ボタン１２２Ａを押下すると、例えばデータ記憶部２０に記憶されている複数の楽曲データの楽曲名が液晶ディスプレイ１２１に表示される。ユーザは、ボタン群１２２の操作ボタンなどを操作することにより、液晶ディスプレイ１２１に表示されている複数の楽曲名の中から、再生を所望する楽曲名を選択する。これにより、再生対象の楽曲データが選択される。なお、この選択操作では、１つ又は２つ以上の楽曲データの選択が可能である。
【００４０】
また、再生準備処理（ステップＳ１１）では、ユーザは、ユーザインターフェース１２のガイドボタン１２２Ｅを押下することにより、楽曲データの再生を上述のレッスン機能によって電子鍵盤楽器１に行わせるように設定することが可能である。
【００４１】
さらに、再生準備処理（ステップＳ１１）では、ユーザは、ユーザインターフェース１２の「スタート／一時停止」ボタン１２２Ｂを押下することにより、楽曲データの再生を電子鍵盤楽器１に開始させることが可能である。
【００４２】
次に、ＣＰＵ１６は、「スタート／一時停止」ボタン１２２Ｂが押下されたか否かを判断する（ステップＳ１３）。この判断は、ユーザインターフェース１２からの信号に基づいて行われる。ここで、「スタート／一時停止」ボタン１２２Ｂが押下されていない場合には（ステップＳ１３：ＮＯ）、再生準備処理（上述のステップＳ１１）が引き続き行われる。これに対して、「スタート／一時停止」ボタン１２２Ｂが押下された場合には（ステップＳ１３：ＹＥＳ）、ＣＰＵ１６は、第１再生開始モード処理を行う（ステップＳ１５）。この処理では、第１再生開始モードで楽曲データの再生が行われるように設定される。
【００４３】
その後、ＣＰＵ１６は、ガイド表示４０の動作、つまり上述のレッスン機能によって楽曲データの再生が行われるように設定されているか否かを判断する（ステップＳ１７）。この判断は、ガイドボタン１２２Ｅが押下されたか否かによって、つまりユーザインターフェース１２からの信号に基づいて行われる。
【００４４】
ここで、ガイド表示４０の動作が行われないように設定されている場合、つまりガイドボタン１２２Ｅが押下されていない場合には（ステップＳ１７：ＮＯ）、ＣＰＵ１６は、第２再生開始モード処理を行う（ステップＳ１９）。この処理では、第１再生開始モードの設定（ステップＳ１５）が変更されて、第２再生開始モードで楽曲データの再生が行われるように設定される。その後は、ステップＳ２５の処理（後述）が行われる。これに対して、ガイド表示４０の動作が行われるように設定されている場合、つまりガイドボタン１２２Ｅが押下されている場合には（ステップＳ１７：ＹＥＳ）、ＣＰＵ１６は、連続再生を行うように設定されているか否かを判断する。この判断は、再生準備処理（上述のステップＳ１１）において、２つ以上の楽曲データの選択が行われたか否かによって行われる。
【００４５】
なお、連続再生とは、再生準備処理（上述のステップＳ１１）で選択された２つ以上の楽曲データが順次に再生されることをいう。つまり、連続再生では、楽曲データの再生が終了すると、次の楽曲データの再生が開始される。
【００４６】
ここで、連続再生を行うように設定されている場合、つまり再生準備処理（上述のステップＳ１１）において、２つ以上の楽曲データの選択が行われた場合には（ステップＳ２１：ＹＥＳ）、ＣＰＵ１６は、第２再生開始モード処理を行う（上述のステップＳ１９）。その後は、ステップＳ２５の処理（後述）が行われる。これに対して、連続再生を行わないように設定されている場合、つまり再生準備処理（上述のステップＳ１１）において、１つの楽曲データの選択が行われた場合には（ステップＳ２１：ＮＯ）、ＣＰＵ１６は、再生位置のサーチが行われたか否かを判断する（ステップＳ２３）。この判断は、ユーザインターフェース１２の早戻しボタン１２２Ｃまたは早送りボタン１２２Ｄが押下されたか否かによって、つまりユーザインターフェース１２からの信号に基づいて行われる。
【００４７】
ここで、再生位置のサーチが行われた場合、つまり早戻しボタン１２２Ｃまたは早送りボタン１２２Ｄが押下された場合には（ステップＳ２３：ＹＥＳ）、ＣＰＵ１６は、第２再生開始モード処理を行う（上述のステップＳ１９）。その後は、ステップＳ２５の処理（後述）が行われる。
【００４８】
これに対して、再生位置のサーチが行われていない場合、つまり早戻しボタン１２２Ｃまたは早送りボタン１２２Ｄが押下されていない場合には（ステップＳ２３：ＮＯ）、ＣＰＵ１６は、再生処理を行う（ステップＳ２５）。なお、第２再生開始モード処理（上述のステップＳ１９）が行われた後でも、再生処理（ステップＳ２５）が行われる。
【００４９】
再生処理（ステップＳ２５）では、再生準備処理（上述のステップＳ１１）で選択された楽曲データの再生が行われる。なお、２つ以上の楽曲データの選択が行われた場合には（上述のステップＳ２１：ＹＥＳ）、その２つ以上の楽曲データが連続再生される。ここで、第１再生開始モードの設定（上述のステップＳ１５）が維持されているときは、第１再生開始モードで楽曲データの再生が開始される。これに対して、第１再生開始モードの設定（上述のステップＳ１５）から第２再生開始モードの設定（上述のステップＳ１９）に変更されているときは、第２再生開始モードで楽曲データの再生が開始される。
【００５０】
なお、本実施形態では、第１再生開始モードで楽曲データの再生が開始される場合には、ガイド表示４０の動作が行われるように設定されているので（上述のステップＳ１７：ＹＥＳ）、第１再生開始モードでの楽曲データの再生開始、およびその開始後の楽曲データの再生は、例えば、上述したレッスン機能が行われることにより実現される。
【００５１】
これに対して、第２再生開始モードで楽曲データの再生が開始される場合において、ガイド表示４０の動作を行わないように設定されているときには（上述のステップＳ１７：ＮＯ）、第２再生開始モードでの楽曲データの再生開始、およびその開始後の楽曲データの再生は、例えば、楽曲データをレッスン用のトラックが無いものとして扱いながら、上述したレッスン機能が行われることにより実現される。一方、ガイド表示４０の動作を行うように設定されているときには（上述のステップＳ１７：ＮＯ）、第２再生開始モードでの楽曲データの再生開始、およびその開始後の楽曲データの再生は、例えば、最初の「ノートオン」が格納されたＭＩＤＩイベントに対応するメタイベントを無いものとして扱いながら、上述したレッスン機能が行われることにより実現される。
【００５２】
その後、ＣＰＵ１６は、再生を終了するか否かを判断する（ステップＳ２６）。この判断は、例えば、再生中の楽曲データの終了コードを読み出したか否かによって行われる。なお、２つ以上の楽曲データの選択が行われた場合には（上述のステップＳ２１：ＹＥＳ）、この判断は、例えば、最後に再生中の楽曲データの終了コードを読み出したか否かによって行われる。ここで、再生を終了しない場合には（ステップＳ２７：ＮＯ）、上述のステップＳ２３の判断が繰り返される。従って、第１再生開始モードで楽曲データが再生が開始され、その楽曲データが再生中において、早戻しボタン１２２Ｃまたは早送りボタン１２２Ｄが押下されることにより、その楽曲データの再生位置がサーチされた場合には（上述のステップＳ２３：ＹＥＳ）、そのサーチされた再生位置から開始される楽曲データの再生が、第２再生開始モードで行われる（上述のステップＳ１９，ステップＳ２５）。これに対して、再生中の楽曲データの再生位置がサーチされていない場合には（上述のステップＳ２３：ＮＯ）、楽曲データの再生が維持される（上述のステップＳ２５）。
【００５３】
なお、再生を終了した場合には（ステップＳ２７：ＹＥＳ）、ＣＰＵ１６は、このプログラムを終了する。
【００５４】
＜まとめ＞
以上、詳細に説明した通り、本実施形態の電子鍵盤楽器１は、白鍵１０ａおよび黒鍵１０ｂを複数有する鍵盤１０と、鍵盤１０の各鍵に対応して設けられた複数のガイド表示４０とを備えている。ガイド表示４０においては、そのガイド表示４０に対応する鍵の前後方向に沿って、第１予告灯４１、第２予告灯４２、第３予告灯４３、および押鍵指示灯４４が１列に配設されている。本実施形態の電子鍵盤楽器１では、図１０のフローチャートで示すプログラムをＣＰＵ１６が実行することなどにより、第１再生開始モード（ステップＳ１５）又は第２再生開始モード（ステップＳ１９）で楽曲データの再生を開始する（ステップＳ２５）。
【００５５】
第１再生開始モードでは、図８に示すように、楽曲データの再生において最初に押鍵すべき鍵に対応するガイド表示４０のうち、その鍵との距離が最長の第１予告灯４１がその鍵を押鍵すべきタイミング（時間０）に先行して点灯する第１時間Ｔ１で、楽曲データの再生が開始される。また、楽曲データの再生において最初に押鍵すべき鍵との距離が最短の押鍵指示灯４４がその鍵を押鍵すべきタイミング（時間０）にて点灯する第２時間Ｔ２で、その鍵に対応する音が発音される（最初の「ノートオン」）。これに対して、第２再生開始モードでは、図９に示すように、第２時間Ｔ２で楽曲データの再生が開始されると同時に、楽曲データにおいて最初に押鍵すべき鍵の音が発音される（最初の「ノートオン」）。
【００５６】
従って、第１再生開始モードでは、楽曲データの再生において最初に押鍵すべき鍵に対応するガイド表示４０に関し、第１予告灯４１〜第３予告灯４３による押鍵予告の時間が確保されている。これに対して、第２再生開始モードでは、楽曲データの再生において最初に押鍵すべき鍵に対応するガイド表示４０に関し、第１予告灯４１〜第３予告灯４３による押鍵予告の時間が確保されていない。よって、本実施形態の電子鍵盤楽器１は、楽曲データの再生開始時に押鍵予告の時間を確保した第１の再生開始モードと、楽曲データの再生開始時に押鍵予告の時間を取り除いた第２の再生開始モードとを備えるものである。
【００５７】
本実施形態の電子鍵盤楽器１では、ガイド表示４０の動作が行われないように設定されている場合（ステップＳ１７：ＮＯ）、連続再生を行うように設定されている場合（ステップＳ２１：ＹＥＳ）、または再生位置のサーチが行われた場合（ステップＳ２３：ＹＥＳ）には、第１再生開始モードの設定（ステップＳ１５）が変更されて、第２再生開始モードで楽曲データの再生が行われるように設定される（ステップＳ１９）。よって、本実施形態の電子鍵盤楽器１は、上述した３つの場合が成立することに応じて、楽曲データの再生を開始する形式を、第１再生開始モードから第２再生開始モードに自動的に切り替えることが可能である。
【００５８】
ユーザが、ガイドボタン１２２Ｅを押下することなく、「スタート／一時停止」ボタン１２２Ｂを押下すると、ガイド表示４０の動作が行われないように設定される。このような場合には（ステップＳ１７：ＮＯ）、ユーザは、ガイド表示４０の動作を行わないことを所望している。そのため、このような場合において、第１再生開始モードから第２再生開始モードに自動的に切り替わることにより、楽曲データの再生開始時において押鍵予告の時間が取り除かれることは、ユーザの目的に適合しているので、有用である。
【００５９】
ユーザがソング選択ボタン１２２Ａを押下することなどによって、連続再生を行うように設定されている場合には（ステップＳ２１：ＹＥＳ）、順次に再生される複数の楽曲データをリスナーとして聴くことをユーザが所望しているケースが多いと考えられる。そのため、このような場合において、第１再生開始モードから第２再生開始モードに自動的に切り替わることにより、楽曲データの再生開始時において押鍵予告の時間が取り除かれることは、ユーザの目的に適合しているので、有用である。
【００６０】
ユーザが早戻しボタン１２２Ｃまたは早送りボタン１２２Ｄを押下することなどによって、再生位置のサーチが行われた場合には（ステップＳ２３：ＹＥＳ）、早戻しまたは早送りによるサーチ後に再生が再開される楽曲データをリスナーとして聴くことをユーザが所望しているケースが多いと考えられる。そのため、このような場合において、第１再生開始モードから第２再生開始モードに自動的に切り替わることにより、楽曲データの再生開始時において押鍵予告の時間が取り除かれることは、ユーザの目的に適合しているので、有用である。
【００６１】
ちなみに、本実施形態において、電子鍵盤楽器１は、「鍵盤楽器」の一例である。白鍵１０ａおよび黒鍵１０ｂは、「複数の鍵」の一例である。前後方向は、「鍵の長手方向」の一例である。第１予告灯４１、第２予告灯４２、第３予告灯４３、および押鍵指示灯４４は、「複数のガイドランプ」の一例である。第１予告灯４１は、「最後のガイドランプ」の一例である。押鍵指示灯４４は、「最前のガイドランプ」の一例である。ＣＰＵ１６、タイマ３１、音源回路１３、効果回路１４、およびスピーカ１５１，１５１などは、「再生装置」の一例である。第１時間Ｔ１は、「第１時点」の一例である。第２時間Ｔ２は、「第２時点」の一例である。時間０は、「鍵を押鍵すべきタイミング」の一例である。楽曲データは、「演奏情報」の一例である。
【００６２】
＜その他＞
なお、本発明は上記実施形態に限定されるものでなく、その趣旨を逸脱しない範囲で様々な変更が可能である。
例えば、ガイド表示４０の動作が行われないように設定されている場合（ステップＳ１７：ＮＯ）、連続再生を行うように設定されている場合（ステップＳ２１：ＹＥＳ）、または再生位置のサーチが行われた場合（ステップＳ２３：ＹＥＳ）でも、第１再生開始モードの設定（ステップＳ１５）が維持されても良い。このような場合には、第１再生開始モードから第２再生開始モードへの切り替えは、ユーザインターフェース１２をユーザが操作することにより行われる。
【００６３】
本実施形態では、第２再生開始モードでの楽曲データの再生開始、およびその開始後の楽曲データの再生は、例えば、楽曲データをレッスン用のトラックが無いものとして扱いながら、上述したレッスン機能が行われることにより実現される。このような場合には、第２再生開始モードで楽曲データの再生が開始されると、いずれの押鍵タイミングでも、第１予告灯４１〜第３予告灯４３による押鍵予告、および押鍵指示灯４４による押鍵指示が実行されない。しかしながら、第２再生開始モードでは、いずれの押鍵タイミングでも、押鍵指示灯４４による押鍵指示の時間は確保されているので、押鍵指示灯４４による押鍵指示が実行されても良い。
【００６４】
また、第２再生開始モードで楽曲データの再生が開始される場合でも、第１予告灯４１〜第３予告灯４３による押鍵予告を実行しても良い。このような場合を、図９の一例に適用すると、最初の押鍵タイミング（時間０）の鍵に対しては押鍵予告が行われることはないが、最初の押鍵タイミング（時間０）から１拍後の押鍵タイミングの鍵に対しては第３予告灯４３による押鍵予告が行われる。最初の押鍵タイミング（時間０）から２拍後の押鍵タイミングの鍵に対しては第２予告灯４２および第３予告灯４３による押鍵予告が行われる。最初の押鍵タイミング（時間０）から３拍以降の押鍵タイミングの鍵に対しては第１予告灯４１、第２予告灯４２、および第３予告灯４３による押鍵予告が行われる。
【００６５】
本実施形態では、上述したレッスン機能が行われることにより、楽曲データが再生されると、その再生の開始する形式が第１再生開始モードと第２再生開始モードとのいずれであっても、伴奏音に加えて、押鍵タイミングの鍵に対応する音も発音される。しかしながら、楽曲データの再生において、押鍵タイミングの鍵に対応する音が発音される一方で、伴奏音は発音されることがないように楽曲データを構成しても良い。
【００６６】
本実施形態では、押鍵予告を行う予告灯を、第１予告灯４１、第２予告灯４２、および第３予告灯４３で構成しているが、これに限定されない。例えば、押鍵予告を行う予告灯を、第２予告灯４２および第３予告灯４３で構成してもよい。このような場合を、図８の一例に適用すると、第１再生開始モードの第１時間Ｔ１は、最初の押鍵タイミング（時間０）から２拍前に設定される。また、押鍵予告を行う予告灯を、第３予告灯４３で構成してもよい。このような場合を、図８の一例に適用すると、第１再生開始モードの第１時間Ｔ１は、最初の押鍵タイミング（時間０）から１拍前に設定される。なお、押鍵予告を行う予告灯を、第１予告灯４１、第２予告灯４２、および第３予告灯４３に加えて、新たな予告灯を追加することにより構成しても良い。
【００６７】
本実施形態では、「鍵盤楽器」として電子鍵盤楽器１を例示したが、これに限定されない。上記したように、鍵に応じた発音とは別にガイド表示４０の制御は行われるので、例えばアコースティックピアノなどのアコースティック鍵盤楽器などにも適用することができる。
【００６８】
本実施形態では、「複数のガイドランプ」を構成する第１予告灯４１、第２予告灯４２、第３予告灯４３、および押鍵指示灯４４には、ＬＥＤが配置されているが、これに限定されず、例えば、蛍光灯などが配置されても良い。
【００６９】
本実施形態では、楽曲データに予め、「ガイド表示オン」および「ガイド表示オフ」が含まれていると説明したが、これに限定されない。「ガイド表示オン」および「ガイド表示オフ」の一方、あるいは両方が楽曲データに含まれていない構成としても良い。この場合を図５の一例に適用すると、例えば、「ガイド表示オン」が含まれていない場合には、読出し部５１は時間情報およびイベントを略同時に読出し、「ノートオン」のデータを読み出すと「ノートオン」に対応する時間情報の３拍前に相当するタイミングで「ノートオン」の命令をＬＥＤ制御部５２へ出力し、これに応じてＬＥＤ制御部５２は第１予告灯４１を点灯させる構成とすれば良い。
【符号の説明】
【００７０】
１    電子鍵盤楽器
１０    鍵盤
１０ａ  白鍵
１０ｂ  黒鍵
１２    ユーザインターフェース
１３    音源回路
１４    効果回路
１５    サウンドシステム
１６    ＣＰＵ
３１    タイマ
４１    第１予告灯
４２    第２予告灯
４３    第３予告灯
４４    押鍵指示灯
Ｔ１    第１時間
Ｔ２    第２時間
【図１】
2018077380.tif 000003
【図２】
2018077380.tif 000004
【図３】
2018077380.tif 000005
【図４】
2018077380.tif 000006
【図５】
2018077380.tif 000007
【図６】
2018077380.tif 000008
【図７】
2018077380.tif 000009
【図８】
2018077380.tif 000010
【図９】
2018077380.tif 000011
【図１０】
2018077380.tif 000012